(57)【特許請求の範囲】
【請求項１】
情報処理方法であって、
情報処理要求メッセージを受信するステップ、
前記情報処理要求メッセージが第１の所定の時間内に処理されない場合、少なくとも１種類の環境状態情報を収集するステップ、
前記情報処理要求メッセージを処理するようユーザを催促するために、前記の収集された環境状態情報が予め設定された条件を満たす場合、プロンプト情報を生成するステップ、
を有し、
前記環境状態情報は、第１の重力検知情報、第１の音声検知情報及び第１の光検知情報のうちの１つ又は任意の組合せを有し、前記予め設定された条件は、前記第１の重力検知情報が予め設定された振動振幅よりも小さい、前記第１の音声検知情報が予め設定されたデシベルよりも小さい、及び前記第１の光検知情報が予め設定された光強度よりも大きい、のうちの少なくとも１種類を有し、
前記方法は、
前記情報処理要求メッセージが第２の所定の時間内に処理されない場合、第２の音声検知情報を収集するステップ、
前記第２の音声検知情報のデシベルが前記第１の音声検知情報のデシベルよりも大きい場合、前記プロンプト情報を生成するステップ、
を更に有する情報処理方法。
【請求項２】
前記収集された環境状態情報が前記予め設定された条件を満たさない場合、前記環境状態情報を収集し続けるステップ、又は
前記収集された環境状態情報が前記予め設定された条件を満たさない場合、一部の前記環境状態情報を収集し続けるステップであって、前記一部の環境状態情報は、前記環境状態情報のうち前記予め設定された条件を満たさない全ての前記環境状態情報、又は前記環境状態情報のうち前記予め設定された条件を満たさない一部の前記環境状態情報、又は前記環境状態情報から選択された一部の前記環境状態情報を含む、ステップ、
を更に有する請求項１に記載の情報処理方法。
【請求項３】
前記収集された環境状態情報が前記予め設定された条件を満たさない場合、第２の光検知情報を収集するステップ、
前記第２の光検知情報の光強度が前記第１の光検知情報の光強度より大きい場合、前記プロンプト情報を生成するステップ、
を更に有する請求項１に記載の情報処理方法。
【請求項４】
前記情報処理要求メッセージは、呼、ショートメッセージ又はスケジュールを含む、請求項１乃至３のいずれか一項に記載の情報処理方法。
【請求項５】
ユーザ機器であって、
情報処理要求メッセージを受信するよう構成される受信モジュール、
前記情報処理要求メッセージが第１の所定の時間内に処理されない場合、少なくとも１種類の環境状態情報を収集するよう構成される第１の収集モジュール、
前記情報処理要求メッセージを処理するようユーザを催促するために、前記の収集された環境状態情報が予め設定された条件を満たす場合、プロンプト情報を生成するよう構成される第１の生成モジュール、
を有し、
前記環境状態情報は、第１の重力検知情報、第１の音声検知情報又は第１の光検知情報を有し、前記予め設定された条件は、前記第１の重力検知情報が予め設定された振動振幅よりも小さい、前記第１の音声検知情報が予め設定されたデシベルよりも小さい、及び前記第１の光検知情報が予め設定された光強度よりも大きい、のうちの少なくとも１種類を有し、
前記ユーザ機器は、
前記情報処理要求メッセージが第２の所定の時間内に処理されない場合、第２の音声検知情報を収集するよう構成された第３の収集モジュール、
前記第２の音声検知情報のデシベルが前記第１の音声検知情報のデシベルよりも大きい場合、前記プロンプト情報を生成するよう構成された第３の生成モジュール、
を更に有するユーザ機器。
【請求項６】
前記第１の収集モジュールは、前記収集された環境状態情報が前記予め設定された条件を満たさない場合、前記環境状態情報を収集し続けるよう更に構成され、又は
前記第１の収集モジュールは、前記収集された環境状態情報が前記予め設定された条件を満たさない場合、一部の前記環境状態情報を収集し続けるよう更に構成され、前記一部の環境状態情報は、前記環境状態情報のうち前記予め設定された条件を満たさない全ての前記環境状態情報、又は前記環境状態情報のうち前記予め設定された条件を満たさない一部の前記環境状態情報、又は前記環境状態情報から選択された一部の前記環境状態情報を含む、
請求項５に記載のユーザ機器。
【請求項７】
前記収集された環境状態情報が前記予め設定された条件を満たさない場合、第２の光検知情報を収集するよう構成された第２の収集モジュール、
前記第２の光検知情報の光強度が前記第１の光検知情報の光強度より大きい場合、前記プロンプト情報を生成する様構成された第２の生成モジュール、
を更に有する請求項５に記載のユーザ機器。
【発明の詳細な説明】
【技術分野】
【０００１】
本発明は、通信の分野に関し、特に情報処理方法及びユーザ機器に関する。
【背景技術】
【０００２】
移動性及び容易さのような特徴により、携帯電話機のようなユーザ機器はユーザにより広く使用されている。
【０００３】
現在、着呼、着信又はスケジュールのような新しいイベントが携帯電話機で生じると、携帯電話機は、通常、携帯電話機の鳴動又は振動を通じて新しいイベントをユーザに気付かせる。ユーザの歩行中、周囲環境が非常に雑音の多いとき、携帯電話機がその瞬間に新しいイベントを受けた場合、ユーザは携帯電話機によりトリガされた鳴動又は振動に気付かず、携帯電話機により受信された新しいイベントは適時に処理できない。ユーザが静かな場所を歩いているとき又は立っているとき、ユーザが携帯電話機を見ていない場合、ユーザはこの新しいイベントに気付かず、この新しいイベントは適時処理されない。さらに、帰宅すると、ユーザは、通常、携帯電話機を寝室のような場所に置き、テレビを見に居間へ行ってしまうので、この瞬間に新しいイベントが携帯電話機で生じた場合、ユーザは携帯電話機によりトリガされた鳴動又は振動に気付かない。さらに、寝室に戻ったとき、ユーザが携帯電話機を見ていない場合、ユーザは依然としてこの新しいイベントに気付かず、この新しいイベントは適時処理されない。
【０００４】
本発明を実施するとき、発明者は、少なくとも従来技術に以下の問題があることを発見した。つまり、ユーザは、ユーザ機器により受信された新しいイベントを適時処理できない場合が多く、ユーザ機器の使い勝手が悪く、従ってユーザに多大な不便がもたらされる。
【発明の概要】
【発明が解決しようとする課題】
【０００５】
本発明の実施形態は、ユーザ機器により受信された新しいイベントをユーザが適時処理できないという従来技術の欠点を克服するために適用される情報処理方法及びユーザ機器を提供する。それにより、ユーザ機器の使い勝手を効果的に向上することができる。
【課題を解決するための手段】
【０００６】
本発明の一実施形態は、情報処理方法を提供する。当該方法は、情報処理要求メッセージを受信するステップ、前記情報処理要求メッセージが第１の所定の時間内に処理されない場合、少なくとも１種類の環境状態情報を収集するステップ、前記情報処理要求メッセージを処理するようユーザを催促するために、少なくとも１種類の前記の収集された環境状態情報に従いプロンプト情報を生成するステップ、を有する。
【０００７】
本発明の一実施形態は、ユーザ機器を提供する。当該ユーザ機器は、情報処理要求メッセージを受信する受信モジュール、前記情報処理要求メッセージが第１の所定の時間内に処理されない場合、少なくとも１種類の環境状態情報を収集する第１の収集モジュール、前記情報処理要求メッセージを処理するようユーザを催促するために、少なくとも１種類の前記の収集された環境状態情報に従いプロンプト情報を生成する第１の生成モジュール、を有する。
【０００８】
本発明の実施形態による情報処理方法及びユーザ機器では、ユーザ機器により受信された情報処理要求メッセージが第１の所定の時間内に処理されない場合、少なくとも１種類の環境状態情報が収集され、情報処理要求メッセージを処理するようユーザを催促するために、少なくとも１種類の収集された環境状態情報に従いプロンプト情報が生成され、ユーザ機器は、情報処理要求メッセージを処理するようユーザを催促するために、ユーザ機器がいる特定された環境状態に従いプロンプト情報を生成でき、それによりユーザはユーザ機器により受信されたが適時処理されていない情報処理要求メッセージに適時気付くことができる。それにより、ユーザ機器の使い勝手が効果的に向上できる。
【図面の簡単な説明】
【０００９】
本発明の実施形態の又は従来技術の技術的解決策をより明確に説明するために、実施形態又は従来技術の説明に必要な図面が以下の通り導入される。明らかなことに、以下の説明中の図面は、本発明のほんの一部の実施形態であり、これらの図面に従って当業者により創造的労力を有さずに他の図面も得られる。
【図１】本発明の実施形態による情報処理方法のフローチャートである。
【図２】本発明の別の実施形態による情報処理方法のフローチャートである。
【図３】本発明の更に別の実施形態による情報処理方法のフローチャートである。
【図４】本発明の更に別の実施形態による情報処理方法のフローチャートである。
【図５】本発明の実施形態によるユーザ機器の構造の概略図である。
【図６】本発明の別の実施形態によるユーザ機器の構造の概略図である。
【図７】本発明の更に別の実施形態によるユーザ機器の構造図である。
【図８】本発明の更に別の実施形態によるユーザ機器の構造の概略図である。
【発明を実施するための形態】
【００１０】
本発明の実施形態の目的、技術的解決策、利点を更に明確にするために、以下に、本発明の実施形態の図面と関連して本発明の実施形態における技術的解決策を明確に及び完全に説明する。明らかに、記載される実施形態は、本発明の実施形態の一部のみであり、全ての実施形態ではない。本発明の実施形態に基づき創造的労力を有さずに当業者により得られる全ての他の実施形態は、本発明の保護範囲に関する。
【００１１】
図１は、本発明の実施形態による情報処理方法のフローチャートである。図１に示されるように、本実施形態による方法は以下のステップを含む。
【００１２】
ステップ１０１：情報処理要求メッセージを受信する。
【００１３】
本実施形態では、ユーザ機器は、情報処理要求メッセージを受信する。ここで、情報処理要求メッセージは、呼、ショートメッセージ又はスケジュール等であり得る。ユーザ機器は、携帯電話機等であり得る。
【００１４】
ステップ１０２：情報処理要求メッセージが第１の所定の時間内に処理されなかった場合、少なくとも１種類の環境状態情報を収集する。
【００１５】
本実施形態では、ユーザ機器が情報処理要求メッセージを受信したとき、ユーザが第１の所定の時間内にユーザ機器を通じて情報処理要求メッセージを処理しない場合、ユーザ機器は、少なくとも１種類の環境状態情報を収集するようトリガされる。ここで、環境状態情報は、ユーザ機器の動き、ユーザ機器の環境内の音及び／又は環境内の光、等を収集することにより得られる情報であって良い。本実施形態では、第１の所定の時間は、ユーザの要求に従い設定できる。
【００１６】
ステップ１０３：情報処理要求メッセージを処理するようユーザを催促するために、収集された環境状態情報に従いプロンプト情報を生成する。
【００１７】
この実施形態では、プロンプト情報は特定の鳴動及び／又は振動であって良い。ユーザ機器は、情報処理要求メッセージを処理するようユーザを催促するために、収集された環境状態情報に従い特定の鳴動及び／又は振動を生成する。本実施形態では、ユーザ機器がユーザを催促する特定の形態は限定されない。
【００１８】
本実施形態では、ユーザ機器により受信された情報処理要求メッセージが第１の所定の時間内に処理されない場合、少なくとも１種類の環境状態情報が収集され、情報処理要求メッセージを処理するようユーザを催促するために、収集された環境状態情報に従いプロンプト情報が生成され、ユーザ機器は、情報処理要求メッセージを処理するようユーザを催促するために、ユーザ機器がいる特定された環境状態に従いプロンプト情報を生成でき、それによりユーザはユーザ機器により受信されたが適時処理されていない情報処理要求メッセージに適時気付くことができる。したがって、ユーザ機器の使い勝手が効果的に向上する。
【００１９】
さらに、情報処理方法の別の実施形態では、ステップ１０３は、特に次の通りであって良い。少なくとも１種類の収集された環境状態情報が予め設定された条件を満たす場合、プロンプト情報を生成するステップであって、環境状態情報は、第１の重力検知情報、第１の音声検知情報及び第１の光検知情報のうちの１つ又は任意の組合せを有し、予め設定された条件は、第１の重力検知情報が予め設定された振動振幅よりも小さい、第１の音声検知情報が予め設定されたデシベルよりも小さい、及び第１の光検知情報が予め設定された光強度よりも大きい、のうちの少なくとも１種類を有する、ステップ。
【００２０】
具体的には、予め設定された条件は、以下の７個の予め設定された条件であり得る。
【００２１】
第１の予め設定された条件：第１の重力検知情報は、予め設定された振動振幅よりも小さい。
【００２２】
この予め設定された条件下で、ユーザ機器により収集された少なくとも１種類の環境状態情報が第１の重力検知情報であるとき、第１の重力検知情報が第１の予め設定された条件を満たす場合、ユーザ機器は現在静止状態にあることを示すので、ユーザ機器はプロンプト情報を生成するようトリガされる。例えば、ユーザが走っているとき、ユーザは、受信した情報処理要求メッセージに従ってユーザ機器によりトリガされた振動に気付かないかも知れない。ユーザが止まって休むとき、ユーザ機器により収集された第１の重力検知情報は、第１の予め設定された条件を満たすので、ユーザ機器はプロンプト情報を生成するようトリガされる。
【００２３】
第２の予め設定された条件：第１の音声検知情報は、予め設定されたデシベルよりも小さい。
【００２４】
この予め設定された条件下で、ユーザ機器により収集された少なくとも１種類の環境状態情報が第１の音声検知情報であるとき、第１の音声検知情報が第２の予め設定された条件を満たす場合、ユーザ機器は現在静かな環境にあることを示すので、ユーザ機器はプロンプト情報を生成するようトリガされる。例えば、ユーザの作業環境が雑音の多い場合、ユーザがこの環境下で作業しているとき、ユーザは、受信した情報処理要求メッセージに従ってユーザ機器によりトリガされた鳴動に気付かないかも知れない。ユーザがこの作業環境から歩いて出て、静かな音の環境に入るとき、ユーザ機器により収集された第１の音声検知情報は、第２の予め設定された条件を満たすので、ユーザ機器はプロンプト情報を生成するようトリガされる。
【００２５】
第３の予め設定された条件：第１の光検知情報は、予め設定された光強度より大きい。
【００２６】
この予め設定された条件下で、ユーザ機器により収集された少なくとも１種類の環境状態情報が第１の光検知情報であるとき、第１の光検知情報が第３の予め設定された条件を満たす場合、ユーザ機器は現在明るい環境にあることを示すので、ユーザ機器はプロンプト情報を生成するようトリガされる。例えば、ユーザがユーザ機器をバッグにいれて使用しているため、ユーザは、受信した情報処理要求メッセージに従ってユーザ機器によりトリガされた振動に気付かないかも知れない。ユーザが何かを取り出すためにバッグを開けて、バッグに光が入ると、この瞬間に、ユーザ機器により収集された第１の光検知情報は、第３の予め設定された条件を満たすので、ユーザ機器はプロンプト情報を生成するようトリガされる。
【００２７】
第４の予め設定された条件：第１の重力検知情報は、予め設定された振動振幅よりも小さく、且つ、第１の音声検知情報は予め設定されたデシベルよりも小さい。
【００２８】
この予め設定された条件下で、ユーザ機器により収集された２種類の環境状態情報が第１の重力検知情報及び第１の音声検知情報であるとき、第１の重力検知情報及び第１の音声検知情報が第４の予め設定された条件を満たす場合、ユーザ機器は現在静止状態にあり且つユーザ機器は静かな環境にあることを示すので、ユーザ機器はプロンプト情報を生成するようトリガされる。例えば、ユーザが雑音の多い環境下の場所を歩いているとき、ユーザは、受信した情報処理要求メッセージに従ってユーザ機器によりトリガされた鳴動及び／又は振動に気付かないかも知れない。ユーザが静かな環境下で休むとき、ユーザ機器により収集された第１の重力検知情報及び第１の音声検知情報は、第４の予め設定された条件を満たすので、ユーザ機器はプロンプト情報を生成するようトリガされる。
【００２９】
第５の予め設定された条件：第１の重力検知情報は、予め設定された振動振幅よりも小さく、且つ、第１の光検知情報は予め設定された光強度よりも大きい。
【００３０】
この予め設定された条件下で、ユーザ機器により収集された２種類の環境状態情報が第１の重力検知情報及び第１の光検知情報であるとき、第１の重力検知情報及び第１の光検知情報が第５の予め設定された条件を満たす場合、ユーザ機器は現在静止状態にあり且つユーザ機器は明るい環境にあることを示すので、ユーザ機器はプロンプト情報を生成するようトリガされる。例えば、ユーザがユーザ機器をバッグにいれて歩いているとき、ユーザは、受信した情報処理要求メッセージに従ってユーザ機器によりトリガされた振動に気付かないかも知れない。ユーザがバッグから何かを取り出すために止まり、バッグに光が入るとき、ユーザ機器により収集された第１の重力検知情報及び第１の光検知情報は、第５の予め設定された条件を満たすので、ユーザ機器はプロンプト情報を生成するようトリガされる。
【００３１】
第６の予め設定された条件：第１の音声検知情報は、予め設定されたデシベルよりも小さく、且つ、第１の光検知情報は予め設定された光強度よりも大きい。
【００３２】
この予め設定された条件下で、ユーザ機器により収集された２種類の環境状態情報が第１の音声検知情報及び第１の光検知情報であるとき、第１の音声検知情報及び第１の光検知情報が第６の予め設定された条件を満たす場合、ユーザ機器は現在静かな且つ明るい環境にあることを示すので、ユーザ機器はプロンプト情報を生成するようトリガされる。例えば、ユーザが携帯電話機をバッグに入れ、雑音の多い場所に居るとき、ユーザは、受信した情報処理要求メッセージに従ってユーザ機器によりトリガされた鳴動及び／又は振動に気付かないかも知れない。ユーザが静かな環境下でバッグから何かを取り出すためにバッグを開け、バッグに光が入るとき、ユーザ機器により収集された第１の音声検知情報及び第１の光検知情報は、第６の予め設定された条件を満たすので、ユーザ機器はプロンプト情報を生成するようトリガされる。
【００３３】
第７の予め設定された条件：第１の重力検知情報は、予め設定された振動振幅よりも小さく、且つ、第１の音声検知情報は予め設定されたデシベルよりも小さく、且つ、第１の光検知情報は予め設定された光強度よりも大きい。
【００３４】
この予め設定された条件下で、ユーザ機器により収集された３種類の環境状態情報が第１の重力検知情報及び第１の音声検知情報及び第１の光検知情報であるとき、ユーザ機器は現在静止状態にあり且つユーザ機器は静かな且つ明るい環境にあることを示すので、ユーザ機器はプロンプト情報を生成するようトリガされる。例えば、ユーザが携帯電話機をバッグに入れ、雑音の多い場所を歩いているとき、ユーザは、受信した情報処理要求メッセージに従ってユーザ機器によりトリガされた鳴動及び／又は振動に気付かないかも知れない。ユーザが静かな環境下で止まり、バッグから何かを取り出すためにバッグを開け、バッグに光が入るとき、ユーザ機器により収集された第１の重力検知情報、第１の音声検知情報及び第１の光検知情報は、第７の予め設定された条件を満たすので、ユーザ機器はプロンプト情報を生成するようトリガされる。
【００３５】
本実施形態では、第１の重力検知情報は、ユーザ機器自体の動き状態を収集することにより、ユーザ機器により得られた情報であって良い。第１の音声検知情報は、ユーザ機器が存在する環境の音声を収集することにより、ユーザ機器により得られた情報であって良い。第１の光検知情報は、ユーザ機器が存在する環境の光を収集することにより、ユーザ機器により得られた情報であって良い。
【００３６】
留意すべき点は、本実施形態では、予め設定された条件の内容が限定されないこと、予め設定された条件は前述の条件に限定されないことである。当業者は、環境の要件等に従って予め設定された条件の内容を適宜設定できる。
【００３７】
さらに、情報処理方法の別の実施形態では、方法は、収集された環境状態情報が予め設定された条件を満たさない場合、環境状態情報を収集し続けるステップ、を更に有し得る。
【００３８】
具体的には、ユーザ機器により収集された３種類の環境状態情報が、第１の重力検知情報、第１の音声検知情報及び第１の光検知情報であり、これら３種類の環境状態情報が第７の予め設定された条件を満たさないとき、例えば第１の重力検知情報が予め設定された振動振幅より大きい、第１の音声検知情報が予め設定されたデシベルより大きい、及び第１の光検知情報が予め設定された光強度より大きいとき、ユーザ機器は、これら３種類の環境状態情報を収集し続けても良い。
【００３９】
代替として、方法は、収集された環境状態情報が予め設定された条件を満たさない場合、一部の環境状態情報を収集し続けるステップ、を更に有しても良い。一部の環境状態情報は、環境状態情報のうち予め設定された条件を満たさない全ての環境状態情報、又は環境状態情報のうち予め設定された条件を満たさない一部の環境状態情報、又は環境状態情報から選択された一部の環境状態情報を含む。
【００４０】
具体的には、収集された環境状態情報が予め設定された条件を満たさない場合、環境状態情報の一部を収集し続けるステップを実施するために、以下の幾つかのモードがあり得る。
【００４１】
第１の実施モード：ユーザ機器により収集された３種類の環境状態情報が、第１の重力検知情報、第１の音声検知情報及び第１の光検知情報であり、これら３種類の環境状態情報が第７の予め設定された条件を満たさないとき、例えばユーザが雑音の多い明るい環境下の場所を歩いている、つまり第１の重力検知情報が予め設定された振動振幅より大きく、第１の音声検知情報が予め設定されたデシベルより大きい、及び第１の光検知情報が予め設定された光強度より大きいとき、ユーザは受信した情報処理要求メッセージに従ってユーザ機器によりトリガされた鳴動及び／又は振動に気付かないかも知れず、ユーザ機器は、第１の重力検知情報及び第１の音声検知情報を収集し続けても良い。ユーザが静かな環境下で休むために止まるとき、ユーザ機器により収集された第１の重力検知情報は予め設定された振動振幅より小さく、第１の音声検知情報は予め設定されたデシベルより小さく、この瞬間に、ユーザは受信した情報処理要求メッセージに従ってユーザ機器によりトリガされた鳴動及び／又は振動に気付くかも知れないので、ユーザ機器は、適時処理されなかった情報処理要求メッセージをユーザに気付かせるため、プロンプト情報を生成する。
【００４２】
第２の実施モード：ユーザ機器により収集された３種類の環境状態情報が、第１の重力検知情報、第１の音声検知情報及び第１の光検知情報であり、これら３種類の環境状態情報が第７の予め設定された条件を満たさないとき、例えばユーザが雑音の多い明るい環境下の場所を歩いている、つまり第１の重力検知情報が予め設定された振動振幅より大きく、第１の音声検知情報が予め設定されたデシベルより大きい、及び第１の光検知情報が予め設定された光強度より大きいとき、ユーザは受信した情報処理要求メッセージに従ってユーザ機器によりトリガされた鳴動及び／又は振動に気付かないかも知れず、ユーザ機器は、第１の重力検知情報を収集し続けても良い。ユーザが休むために止まるとき、ユーザ機器により収集された第１の重力検知情報は予め設定された振動振幅より小さく、この瞬間に、ユーザは受信した情報処理要求メッセージに従ってユーザ機器によりトリガされた鳴動及び／又は振動に気付くかも知れないので、ユーザ機器は、適時処理されなかった情報処理要求メッセージをユーザに気付かせるため、プロンプト情報を生成する。
【００４３】
第３の実施モード：ユーザ機器により収集された３種類の環境状態情報が、第１の重力検知情報、第１の音声検知情報及び第１の光検知情報であり、これら３種類の環境状態情報が第７の予め設定された条件を満たさないとき、例えばユーザがユーザ機器をバッグに入れ、バッグをテーブルに置き、ユーザ機器が雑音の多い環境にあり、つまり第１の重力検知情報が予め設定された振動振幅より小さく、第１の音声検知情報が予め設定されたデシベルより大きい、及び第１の光検知情報が予め設定された光強度より小さいとき、ユーザは受信した情報処理要求メッセージに従ってユーザ機器によりトリガされた鳴動及び／又は振動に気付かないかも知れず、ユーザ機器は、第１の重力検知情報及び第１の光検知情報を収集し続けても良い。ユーザがテーブルからバッグを取り上げ、バッグから何かを取り出すとき、ユーザ機器により収集された第１の重力検知情報は予め設定された振動振幅より大きく、第１の光検知情報は予め設定された光強度より大きく、この瞬間に、ユーザは受信した情報処理要求メッセージに従ってユーザ機器によりトリガされた鳴動及び／又は振動に気付くかも知れないので、ユーザ機器は、適時処理されなかった情報処理要求メッセージをユーザに気付かせるため、プロンプト情報を生成する。
【００４４】
留意すべき点は、本実施形態で、収集された環境状態情報が予め設定された条件を満たさないとき、ユーザ機器が収集し続ける環境状態情報又は一部の環境状態情報は限定されないこと、当業者は環境要件等に従って環境状態情報を適宜収集できることである。
【００４５】
図２は、本発明の別の実施形態による情報処理方法のフローチャートである。図２に示すように、本実施形態では、ユーザ機器により収集される２種類の環境状態情報が第１の重力検知情報及び第１の音声検知情報であり、予め設定された条件が第４の予め設定された条件である例を用いて実施形態の技術的解決策が詳細に説明される。本実施形態による方法は、次のステップを有する。
【００４６】
ステップ２０１：スケジュールメッセージを受信する。
【００４７】
本実施形態では、ステップ２０１の実施モードは、図１に示したステップ１０１の実施モードと同様であり、ここで再度記載されない。
【００４８】
ステップ２０２：スケジュールメッセージが第１の所定の時間内に処理されなかった場合、第１の重力検知情報及び第１の音声検知情報を収集する。
【００４９】
本実施形態では、例えば、ユーザ機器は携帯電話機であり、ユーザ機器のユーザはバス停まで歩いている途中であり、携帯電話機はスケジュールメッセージを受信し、携帯電話機によりトリガされた鳴動及び／又は振動を通じてユーザに催促している。しかしながら、ユーザが歩行中であり周囲環境が非常に雑音の多い環境であるとき、ユーザは、受信したスケジュールメッセージに従って携帯電話機によりトリガされた鳴動及び／又は振動に気付かない。第１の所定の時間内に、携帯電話機が、スケジュールメッセージはユーザにより処理されていないと特定し、従って携帯電話機は、第１の重力検知情報及び第１の音声検知情報を収集するようトリガされる。
【００５０】
ステップ２０３：第１の重力検知情報及び第１の音声検知情報が第４の予め設定された条件を満たさない場合、プロンプト情報を生成する。
【００５１】
本実施形態では、ユーザが帰宅し又はエレベータ内にいるとき、この瞬間に、携帯電話機は静止状態にあり、周囲環境は非常に静かなので、携帯電話機は、第１の重力検知情報が予め設定された振動振幅より小さく、且つ、第１の音声検知情報が予め設定されたデシベルより小さいと特定し、それにより、携帯電話機は、携帯電話機の現在の環境下で、ユーザは携帯電話機によりトリガされる鳴動及び／又は振動に気付くかも知れないと特定する。したがって、携帯電話機は、適時処理されていないスケジュールメッセージが存在することをユーザに気付かせるために、特定の鳴動及び／又は振動を生成する。
【００５２】
留意すべき点は、ユーザが歩行中であり、周囲環境が非常に雑音が多いとき、携帯電話機は、第１の重力検知情報及び第１の音声検知情報が第４の予め設定された条件を満たさないと特定し、例えば、第１の重力検知情報が予め設定された振動振幅より大きく、第１の音声検知情報が予め設定されたデシベルより大きいので、携帯電話機は、携帯電話機の現在の環境下で、ユーザが携帯電話機によりトリガされる鳴動及び／又は振動に気付かないと特定することである。したがって、携帯電話機は、この瞬間に、特定の鳴動及び／又は振動プロンプトを生成しない。したがって、方法は、第１の重力検知情報及び第１の音声検知情報が第４の予め設定された条件を満たさない場合、第１の重力検知情報及び第１の音声検知情報を収集し続けるステップを更に有しても良い。
【００５３】
代替として、方法は、第１の重力検知情報及び第１の音声検知情報が第４の予め設定された条件を満たさない場合、第１の重力検知情報又は第１の音声検知情報を収集し続けるステップを更に有しても良い。
【００５４】
具体的には、第１の重力検知情報及び第１の音声検知情報が第４の予め設定された条件を満たさない場合、携帯電話機は第１の重力検知情報を更に収集し続けて良く、収集した第１の重力検知情報が予め設定された振動振幅より小さい場合、携帯電話機はプロンプト情報を生成する。例えば、ユーザが雑音の多い環境下で休むために止まるとき、この瞬間に、携帯電話機により収集された第１の重力検知情報が予め設定された振動振幅より小さく、したがって携帯電話機が、携帯電話機は現在静かな環境にあり、ユーザは携帯電話機によりトリガされる振動に気付くかも知れないと特定するので、携帯電話機は、適時処理されていないスケジュールメッセージが存在することをユーザに気付かせるプロンプト情報を生成する。
【００５５】
より具体的には、第１の重力検知情報及び第１の音声検知情報が第４の予め設定された条件を満たさない場合、携帯電話機は第１の音声検知情報を更に収集し続けて良く、収集した第１の音声検知情報が予め設定されたデシベルより小さい場合、携帯電話機はプロンプト情報を生成する。例えば、ユーザが雑音の多い環境から静かな環境へと歩いて行くとき、この瞬間に、携帯電話機により収集された第１の音声検知情報が予め設定されたデシベルより小さく、したがって携帯電話機が、携帯電話機は静かな環境にあり、ユーザは携帯電話機によりトリガされる鳴動に気付くかも知れないと特定するので、携帯電話機は、適時処理されていないスケジュールメッセージが存在することをユーザに気付かせるプロンプト情報を生成する。
【００５６】
本実施形態では、ユーザ機器により受信された情報処理要求メッセージが第１の所定の時間内に処理されない場合、ユーザ機器は、第１の重力検知情報及び第１の音声検知情報を収集する。第１の重力検知情報及び第１の音声検知情報が第４の予め設定された条件を満たす場合、ユーザ機器は、第１の重力検知情報及び第１の音声検知情報に従ってプロンプト情報を生成し、ユーザ機器は、ユーザ機器自体の動き状態及びユーザ機器が存在する環境内の音声に従って、ユーザがユーザ機器により生成されたプロンプト情報に気付くか否かを特定し、それにより、ユーザがユーザ機器により生成されたプロンプト情報に気付くことが出来る場合には、ユーザ機器は、情報処理要求メッセージを処理するようユーザを催促するプロンプト情報を生成するようトリガされる。このように、ユーザは、ユーザ機器により受信されたが適時処理されていない情報処理要求メッセージに効果的に適時気付かされ、ユーザ機器の使い勝手が効果的に向上できる。
【００５７】
図３は、本発明の更に別の実施形態による情報処理方法のフローチャートである。図３に示すように、本実施形態では、ユーザ機器により収集される３種類の環境状態情報が第１の重力検知情報及び第１の音声検知情報及び第１の光検知情報であり、予め設定された条件が第７の予め設定された条件である例を用いて実施形態の技術的解決策が詳細に説明される。本実施形態による方法は、次のステップを有する。
【００５８】
ステップ３０１：呼要求メッセージを受信する。
【００５９】
本実施形態では、ステップ３０１の実施モードは、図１に示したステップ１０１の実施モードと同様であり、ここで再度記載されない。
【００６０】
ステップ３０２：呼要求メッセージが第１の所定の時間内に処理されなかった場合、第１の重力検知情報及び第１の音声検知情報及び第１の光検知情報を収集する。
【００６１】
本実施形態では、ユーザは、携帯電話機を寝室に置き、テレビを見るために居間に行く。テレビ番組の音量が高いので、携帯電話が呼要求を受信したとき、居間でテレビを見ているユーザは、携帯電話機によりトリガされた鳴動及び／又は振動に気付かない。さらに、第１の所定の時間内に、呼要求が処理されず、つまり、携帯電話機は、ユーザが呼要求メッセージを適時処理しないと特定し、従って携帯電話機は、第１の重力検知情報及び第１の音声検知情報及び第１の光検知情報を収集するようトリガされる。
【００６２】
ステップ３０３：第１の重力検知情報及び第１の音声検知情報及び第１の光検知情報が第７の予め設定された条件を満たさない場合、第２の光検知情報を収集する。
【００６３】
本実施形態では、第１の重力検知情報、第１の音声検知情報及び第１の光検知情報は、第７の予め設定された条件を満たさないので、携帯電話機は、現在の環境下で、ユーザが携帯電話機によりトリガされる鳴動及び／又は振動に気付くことができないと特定し、この瞬間に、携帯電話機は、リアルタイムに、携帯電話機が存在する光環境を検出できる。つまり、携帯電話機は、第２の光検知情報をリアルタイムに収集できる。本実施形態では、携帯電話機は、第１の重力検知情報、第１の音声検知情報及び収集した第１の光検知情報に従って、携帯電話機の現在の環境は雑音が多く光環境は薄暗いと特定できる。
【００６４】
ステップ３０４：第２の光検知情報の非海峡°が第１の光検知情報の光強度よりも大きい場合、プロンプト情報を生成する。
【００６５】
本実施形態では、ユーザは、何かの理由で寝室に戻り、寝室の明かりを点けつと、この瞬間に、第携帯電話機により収集された２の光検知情報の光強度は、第１の光検知情報の光強度よりも大きくなり、つまり、携帯電話機は、この瞬間に、携帯電話機が存在する光環境が薄暗いから明るいに変化したと特定し、したがって携帯電話機は、ユーザが携帯電話機によりトリガされる鳴動及び／又は振動に気付くかも知れないと特定し、それにより、携帯電話機は、適時処理されていない携帯電話機にある呼要求メッセージをユーザに気付かせるために、特定の鳴動及び／又は振動を生じるようトリガされる。
【００６６】
本実施形態では、ユーザ機器により受信された情報処理要求メッセージが第１の所定の時間内に処理されない場合、ユーザ機器は、第１の重力検知情報及び第１の音声検知情報及び第１の光検知情報を収集する。第１の重力検知情報及び第１の音声検知情報及び第１の光検知情報が第７の予め設定された条件を満たさない場合、ユーザ機器は、第２の光検知情報をリアルタイムに収集する。第２の光検知情報の光強度が第１の光検知情報の光強度より大きい場合、ユーザ機器はプロンプト情報を生成し、携帯電話機は、携帯電話機自体の動き情報、携帯電話機が存在する環境内の光及び音声の変化に従ってプロンプト情報を生成するようトリガされ得る。それにより、ユーザは、ユーザ機器により受信されたが適時処理されていない情報処理要求メッセージに適時気付くことができ、したがって、ユーザ機器の使い勝手は効果的に向上できる。
【００６７】
図４は、本発明の更に別の実施形態による情報処理方法のフローチャートである。図４に示すように、本実施形態では、ユーザ機器により収集される３種類の環境状態情報が第１の重力検知情報及び第１の音声検知情報及び第１の光検知情報であり、予め設定された条件が第７の予め設定された条件である例を用いて実施形態の技術的解決策が詳細に説明される。本実施形態による方法は、次のステップを有する。
【００６８】
ステップ４０１：ステップ４０１：呼要求メッセージを受信する。
【００６９】
本実施形態では、ステップ４０１の実施モードは、図１に示したステップ１０１の実施モードと同様であり、ここで再度記載されない。
【００７０】
ステップ４０２：呼要求メッセージが第１の所定の時間内に処理されなかった場合、第１の重力検知情報及び第１の音声検知情報及び第１の光検知情報を収集する。
【００７１】
本実施形態では、帰宅すると、ユーザは、携帯電話機を寝室に置き、別の部屋へ行く。携帯電話機が呼要求メッセージを受信したとき、ユーザは別の部屋に居るので、ユーザは、受信した呼要求メッセージにより携帯電話機によりトリガされる鳴動及び／又は振動に気付かず、ユーザは第１の所定の時間内に携帯電話機により受信された呼要求メッセージを処理しない。したがって、携帯電話機は、ユーザが呼要求メッセージを適時処理しないと特定し、携帯電話機は、第１の重力検知情報、第１の音声検知情報及び第１の光検知情報を収集するようトリガされる。
【００７２】
ステップ４０３：第１の重力検知情報及び第１の音声検知情報及び第１の光検知情報が第７の予め設定された条件を満たさない場合、プロンプト情報を生成する。
【００７３】
本実施形態では、携帯電話機が、第１の重力検知情報が予め設定された振動振幅より小さく、且つ、第１の音声検知情報が予め設定されたデシベルより小さく、第１の光検知情報が予め設定された光強度より大きいと特定したとき、携帯電話機は、携帯電話機が存在する音声環境が非常に静かであり、光環境が非常に明るいと特定する。したがって、携帯電話機は、ユーザは携帯電話機によりトリガされる特定の鳴動及び／又は振動に気付くことができると特定する。それにより、携帯電話機は、特定の鳴動及び／又は振動をトリガするようトリガされる。
【００７４】
ステップ４０４：情報処理要求メッセージが第２の所定の時間内に処理されなかった場合、ダイ２の音声検知情報を収集する。
【００７５】
本実施形態では、携帯電話機がプロンプト情報を生成した後、ユーザは、第２の所定の時間内に受信した情報処理要求メッセージを処理しない。したがって、携帯電話機は、ユーザが携帯電話機の近くに居ないかも知れないと特定する。したがって、携帯電話機は、第１の重力検知情報、第１の音声検知情報及び第１の光検知情報を格納するようトリガされる。留意すべき点は、第２の所定の時間が、第１の所定の時間と等しくても良く、又は第１の所定の時間より小さくても良いことである。本実施形態では、第２の所定の時間は、第１の所定の時間より小さいことが望ましい。例えば、第１の所定の時間は５分であり、第２の所定の時間は１分であって良い。本実施形態では、携帯電話機がプロンプト情報を生成した後、ユーザは、第２の所定の時間内に受信した情報処理要求メッセージを処理しない。したがって、携帯電話機は、ユーザが携帯電話機の近くに居ないかも知れないと特定する。したがって、携帯電話機は、第２の音声検知情報を収集するようトリガされる。
【００７６】
ステップ４０５：第２の音声検知情報のデシベルが第１の音声検知情報のデシベルよりも大きい場合、プロンプト情報を生成する。
【００７７】
本実施形態では、ユーザは、別の部屋から寝室に戻り、歩行又は会話等のような活動により寝室内で音が生成される。したがって、携帯電話機により収集された第２の音声検知情報のデシベルは、第１の音声検知情報のデシベルよりも大きい。それにより、携帯電話機は、ユーザが携帯電話機の周囲に居ること、携帯電話機によりトリガされる特定の鳴動及び／又は振動に気付くかも知れないと特定する。したがって、携帯電話機は、携帯電話機により受信された適時処理されていない呼要求メッセージをユーザに気付かせるために、特定の鳴動及び／又は振動をトリガするようトリガされる。
【００７８】
本実施形態では、受信された情報処理要求メッセージが第１の所定の時間内に処理されない場合、ユーザ機器は、第１の重力検知情報及び第１の音声検知情報及び第１の光検知情報を収集する。第１の重力検知情報及び第１の音声検知情報及び第１の光検知情報が第７の予め設定された条件を満たす場合、ユーザ機器は、適時処理されていない情報処理要求メッセージをユーザに気付かせるために、プロンプト情報を生成する。ユーザが第２の所定の時間内に情報処理要求メッセージを処理しない場合、ユーザ機器は、ユーザが携帯電話機の近くに居ないと特定する。それにより、携帯電話機は、第２の音声検知情報を収集するようトリガされる。第２の音声検知情報のデシベルが第１の音声検知情報のデシベルより大きい場合、ユーザ機器は再びプロンプト情報を生成し、ユーザ機器は、環境の変化に従って、ユーザ機器がユーザ機器により受信されたが適時処理されていない情報処理要求メッセージをユーザに気付かせる必要があるか否かを特定でき、ユーザは、ユーザ機器により受信されたが適時処理されていない情報処理要求メッセージに適時気付くことができ、したがって、ユーザ機器の使い勝手が効果的に向上できる。
【００７９】
図５は、本発明の実施形態によるユーザ機器の構造の概略図である。図５に示されるように、本実施形態によるユーザ機器は、受信モジュール１１、第１の収集モジュール１２及び第１の生成モジュール１３を含む。第１の受信モジュール１１は、情報処理要求メッセージを受信するよう構成される。第１の収集モジュール１２は、情報処理要求メッセージが第１の所定の時間内に処理されない場合、少なくとも１種類の環境状態情報を収集するよう構成される。第１の生成モジュール１３は、情報処理要求メッセージを処理するようユーザを催促するために、収集された環境状態情報に従いプロンプト情報を生成するよう構成される。
【００８０】
本実施形態によるユーザ機器は、図１に示した方法の実施形態の技術的解決策を実行するよう構成され得る。この方法の実施の原理は、ここでは再度記載されない。
【００８１】
本実施形態では、受信された情報処理要求メッセージが第１の所定の時間内に処理されない場合、少なくとも１種類の環境状態情報が収集され、情報処理要求メッセージを処理するようユーザを催促するために、収集された環境状態情報に従いプロンプト情報が生成され、ユーザ機器は、情報処理要求メッセージをユーザに気付かせるために、ユーザ機器が存在する特定された環境状態に従いプロンプト情報を生成でき、それによりユーザはユーザ機器により受信されたが適時処理されていない情報処理要求メッセージに適時気付くことができ、したがってユーザ機器の使い勝手が効果的に向上できる。
【００８２】
さらに、第１の生成モジュール１３は、特に、収集された環境状態情報が予め設定された条件を満たす場合、プロンプト情報を生成するよう構成される。ここで、環境状態情報は、第１の重力検知情報、第１の音声検知情報及び第１の光検知情報のうちの１つ又は任意の組合せを有し、予め設定された条件は、第１の重力検知情報が予め設定された振動振幅よりも小さい、第１の音声検知情報が予め設定されたデシベルよりも小さい、及び第１の光検知情報が予め設定された光強度よりも大きい、のうちの少なくとも１種類を有する。
【００８３】
図６は、本発明の実施形態によるユーザ機器の構造の概略図である。図６に示されるように、携帯端末通信機器は、受信モジュール２１、第１の収集モジュール２２及び第１の生成モジュール２３を含む。第１の受信モジュール２１は、情報処理要求メッセージを受信するよう構成される。第１の収集モジュール２２は、情報処理要求メッセージが第１の所定の時間内に処理されない場合、少なくとも１種類の環境状態情報を収集するよう構成される。第１の生成モジュール２３は、収集された環境状態情報が予め設定された条件を満たす場合、プロンプト情報を生成するよう構成される。第１の収集モジュール２２は、収集された環境状態情報が予め設定された条件を満たさない場合、環境状態情報を収集し続けるよう更に構成される。
【００８４】
さらに、第１の収集モジュール２２は、収集された環境状態情報が予め設定された条件を満たさない場合、一部の環境状態情報を収集し続けるよう更に構成されても良い。ここで、一部の環境状態情報は、環境状態情報のうち予め設定された条件を満たさない全ての環境状態情報、又は環境状態情報のうち予め設定された条件を満たさない一部の環境状態情報、又は環境状態情報から選択された一部の環境状態情報を含む。
【００８５】
本実施形態のユーザ機器は、図２に示した方法の実施形態の技術的解決策を実行するよう構成され得る。この方法の実施の原理は、ここでは再度記載されない。
【００８６】
本実施形態では、受信された情報処理要求メッセージが第１の所定の時間内に処理されない場合、ユーザ機器は、第１の重力検知情報及び第１の音声検知情報を収集する。第１の重力検知情報及び第１の音声検知情報が第４の予め設定された条件を満たす場合、ユーザ機器は、第１の重力検知情報及び第１の音声検知情報に従ってプロンプト情報を生成し、ユーザ機器は、ユーザ機器自体の動き状態及びユーザ機器が存在する環境内の音声に従って、ユーザがユーザ機器により生成されたプロンプト情報に気付くか否かを特定する。それにより、ユーザがユーザ機器により生成されたプロンプト情報に気付くことができる場合には、ユーザ機器は、情報処理要求メッセージを処理するようユーザを催促するためにプロンプト情報を生成するようトリガされる。したがって、ユーザは、ユーザ機器により受信されたが適時処理されていない情報処理要求メッセージに適時効果的に気付くことができ、ユーザ機器の使い勝手が効果的に向上できる。
【００８７】
図７は、本発明の更に別の実施形態によるユーザ機器の構造の概略図である。図７に示されるように、携帯端末通信機器は、受信モジュール３１、第１の収集モジュール３２、第２の収集モジュール３３、及び第２の生成モジュール３４を含む。受信モジュール３１は、情報処理要求メッセージを受信するよう構成される。第１の収集モジュール３２は、情報処理要求メッセージが第１の所定の時間内に処理されない場合、第１の重力検知情報、第１の音声検知情報及び第１の光検知情報を収集するよう構成される。第２の収集モジュール３３は、収集された環境状態情報が予め設定された条件を満たさない場合、第２の光検知情報を収集するよう構成される。第２の生成モジュール３４は、第２の光検知情報の光強度が第１の光検知情報の光強度より大きい場合、プロンプト情報を生成するよう構成される。
【００８８】
本実施形態のユーザ機器は、図３に示した方法の実施形態の技術的解決策を実行するよう構成され得る。この方法の実施の原理は、ここでは再度記載されない。
【００８９】
本実施形態では、受信された情報処理要求メッセージが第１の所定の時間内に処理されない場合、ユーザ機器は、第１の重力検知情報及び第１の音声検知情報及び第１の光検知情報を収集する。第１の重力検知情報及び第１の音声検知情報及び第１の光検知情報が第７の予め設定された条件を満たさない場合、ユーザ機器は、第２の光検知情報をリアルタイムに収集する。第２の光検知情報の光強度が第１の光検知情報の光強度より大きいとき、ユーザ機器はプロンプト情報を生成し、携帯電話機は、携帯電話機自体の動き情報、携帯電話機が存在する環境内の光及び音声の変化に従ってプロンプト情報を生成するようトリガされ得る。それにより、ユーザは、ユーザ機器により受信されたが適時処理されていない情報処理要求メッセージに適時気付くことができる。したがって、ユーザ機器の使い勝手が効果的に向上できる。
【００９０】
図８は、本発明の更に別の実施形態によるユーザ機器の構造の概略図である。図８に示されるように、携帯端末通信機器は、受信モジュール４１、第１の収集モジュール４２、第１の生成モジュール４３、第３の収集モジュール４４、及び第３の生成モジュール４５を含む。受信モジュール４１は、情報処理要求メッセージを受信するよう構成される。第１の収集モジュール４２は、情報処理要求メッセージが第１の所定の時間内に処理されない場合、第１の重力検知情報、第１の音声検知情報及び第１の光検知情報を収集するよう構成される。第１の生成モジュール４３は、収集された環境状態情報が予め設定された条件を満たす場合、プロンプト情報を生成するよう構成される。ここで、環境状態情報は、第１の重力検知情報、第１の音声検知情報又は第１の光検知情報を含み、予め設定された条件は、第１の重力検知情報が予め設定された振動振幅より小さい、第１の音声検知情報が予め設定されたデシベルより小さい、第１の光検知情報が予め設定された光強度より大きい、という条件のうちの少なくとも１種類を含む。第３の収集モジュール４４は、情報処理要求メッセージが第２の所定の時間内に処理されなかった場合、第２の音声検知情報を収集するよう構成される。第３の生成モジュール４５は、第２の音声検知情報のデシベルが第１の音声検知情報のデシベルよりも大きい場合、プロンプト情報を生成するよう構成される。
【００９１】
本実施形態のユーザ機器は、図４に示した方法の実施形態の技術的解決策を実行するよう構成され得る。この方法の実施の原理は、ここでは再度記載されない。
【００９２】
本実施形態では、受信された情報処理要求メッセージが第１の所定の時間内に処理されない場合、ユーザ機器は、第１の重力検知情報及び第１の音声検知情報及び第１の光検知情報を収集する。第１の重力検知情報及び第１の音声検知情報及び第１の光検知情報が第７の予め設定された条件を満たす場合、ユーザ機器は、ユーザ機器により受信されたが適時処理されていない情報処理要求メッセージをユーザに気付かせるために、プロンプト情報を生成する。ユーザが第２の所定の時間内に情報処理要求メッセージを処理しない場合、ユーザ機器は、ユーザが携帯電話機の近くに居ないと特定する。それにより、携帯電話機は、第２の音声検知情報を収集するようトリガされる。第２の音声検知情報のデシベルが第１の音声検知情報のデシベルより大きい場合、ユーザ機器は再びプロンプト情報を生成し、ユーザ機器は、環境の変化に従って、ユーザ機器がユーザ機器により知覚されたが適時処理されていない情報処理要求メッセージをユーザに気付かせる必要があるか否かを特定でき、ユーザは、ユーザ機器により受信されたが適時処理されていない情報処理要求メッセージに適時気付くことができる。したがって、ユーザ機器の使い勝手が効果的に向上できる。
【００９３】
当業者は、前述の方法の実施形態を実施するための全て又は一部のステップが、プログラム命令に関連付けられたハードウェアにより達成できること、前述のプログラムがコンピュータ可読記憶媒体に格納できることを理解するだろう。実行されると、プログラムは、前述の方法の実施形態に含まれるステップを実行し得る。前述の記憶媒体は、プログラムコードを格納できる、ＲＯＭ、ＲＡＭ、ディスク又はコンパクトディスクのような種々の媒体を含む。
【００９４】
最後に、留意すべき点は、前述の実施形態が本発明の技術的解決策を説明するためにのみ用いられ、本発明の範囲を限定しないことである。本発明は、前述の実施形態を参照することにより詳細に説明されたが、当業者は、前述の種々の実施形態で記載された技術的解決策に変更が加えられ得ること又は本発明の技術的特徴の一部に等価な代替が行われても良いことを理解するだろう。しかしながら、全てのこれらの実施形態又は代替は、対応する技術的解決策の本質を本発明の種々の実施形態の技術的解決策の精神及び範囲から逸脱させない。
【００９５】
本出願は、中国出願番号２０１０１０１８８５４９．Ｘ、２０１０年５月３１日出願、名称「INFORMATION  PROCESSING  METHOD  AND  USER  EQUIPMENT」の利益を請求する。該出願は参照されることにより全体が本願明細書に組み込まれる。
【符号の説明】
【００９６】
１１  受信モジュール
１２  第１の収集モジュール
１３  第１の生成モジュール
２１  受信モジュール
２２  第１の収集モジュール
２３  第１の生成モジュール
３１  受信モジュール
３２  第１の収集モジュール
３３  第２の収集モジュール
３４  第２の生成モジュール
４１  受信モジュール
４２  第１の収集モジュール
４３  第１の生成モジュール
４４  第３の生成モジュール
４５  第３の収集モジュール
【図１】
0005513680.tif 000002
【図２】
0005513680.tif 000003
【図３】
0005513680.tif 000004
【図４】
0005513680.tif 000005
【図５】
0005513680.tif 000006
【図６】
0005513680.tif 000007
【図７】
0005513680.tif 000008
【図８】
0005513680.tif 000009